(57)【要約】【課題】閉じた状態にて嵌合部材の雄部と雌部とを嵌合させることで、意図せずに開いた状態となることを回避できる構成において、嵌合部材や他の物品を破損させることを回避できるとともに、複数きれいに並べたり積み重ねたりする。【解決手段】天板１１は、底板２１に対向する面のうち、側壁３０との連接辺とは反対側の辺側に雌コネクタ４０が取り付けられるとともに、雌コネクタ４０と雄コネクタ５０との嵌合状態を解除する鍵を雌コネクタ４０の鍵穴４１に挿入するための貫通孔１３が形成され、側壁３０との連接辺とは反対側に設けられた側壁１２ａに、雄コネクタ５０を雌コネクタ４０に嵌合させるための貫通孔１４が形成され、雄コネクタ５０がフレキシブルシート６０を介して底板２１に取り付けられている。【選択図】図１
2016104640.tif 000002
【特許請求の範囲】
【請求項１】
天板、底板及び４つの側壁からなり、前記４つの側壁のうち１つの側壁が前記天板及び前記底板に連接し、当該側壁の前記天板及び／または前記底板との連接辺を中心として前記天板と前記底板とが開かれることで開いた状態となる包装箱であって、
前記天板は、前記底板に対向する面のうち前記連接辺とは反対側の辺側に嵌合部材の雌部が取り付けられるとともに、前記嵌合部材の嵌合状態を解除するための鍵を前記嵌合部材に挿入するための第１の貫通孔が形成され、
前記４つの側壁のうち前記天板及び前記底板に連接した側壁と対向する側壁は、前記嵌合部材の雄部を前記雌部に嵌合させるための第２の貫通孔が形成され、
前記底板は、一端が自由に移動可能となった帯状部材の他端が取り付けられ、前記一端に前記雄部が取り付けられている包装箱。
【発明の詳細な説明】
【技術分野】
【０００１】
本発明は、天板、底板及び４つの側壁からなり、閉じた状態にて嵌合部材の雄部と雌部とを嵌合させることで、意図せずに開いた状態となることを回避できる包装箱に関する。
【背景技術】
【０００２】
近年、スマートフォンに代表される携帯電話機は、急速な普及を遂げているが、携帯電話機が故障した場合は、一般的に、携帯電話機が携帯電話会社のショップに持ち込まれ、その後、メーカの修理工場に搬送されて修理が行われることになる。その際、携帯電話機が搬送中にて破損しないように、携帯電話機をクッション材に包んだ状態で段ボール箱に収容し、その後、携帯電話機が段ボール箱から脱落しないように段ボール箱をシール用テープで封印して搬送することが行われている。
【０００３】
ここで、特許文献１には、携帯電話機を修理する際に携帯電話機を配送する配送容器が開示されている。この配送容器は、容器本体の側面に、垂直なロック位置と水平なロック解除位置に回動可能なフックが取り付けられているとともに、蓋体の側面に、フックを挿入可能な掛止穴が設けられた構成となっている。このように構成された配送容器においては、携帯電話機を収容した後、蓋体で容器本体を閉じた状態とし、フックを掛止穴に挿入してフックをロック位置とすることにより、意図せずに開いた状態となって携帯電話機が配送容器から脱落することを回避できる。
【先行技術文献】
【特許文献】
【０００４】
【特許文献１】特許第４３６５６０８号公報
【発明の概要】
【発明が解決しようとする課題】
【０００５】
しかしながら、特許文献１に開示されたものにおいては、容器本体の側面にてフックが突出しているため、携帯電話機の配送途中にて接触等によってフックが破損する虞れがある。また、フックをロック位置とロック解除位置に回動させる度に、フックや蓋体の係止穴近傍が傷ついて破損しやすいという問題点がある。また、突出したフックが接触することによって他の物品を破損させてしまう虞れもある。さらに、フックが突出していることにより、複数の配送容器を並べにくくなり、効率的な配送に支障が生じる虞れもある。
【０００６】
また、上述したように容器本体の側面にフックが取り付けられているものに限らず、容器本体の上面にフックを取り付けたとしても、上記同様に、フックや他の物品が破損してしまう虞れがあり、また、フックが突出していることにより積み重ねて配送することができないという問題点がある。
【０００７】
本発明は、上述したような従来の技術が有する問題点に鑑みてなされたものであって、閉じた状態にて嵌合部材の雄部と雌部とを嵌合させることで、意図せずに開いた状態となることを回避できる包装箱において、嵌合部材や他の物品を破損させることを回避できるとともに、複数きれいに並べたり積み重ねたりすることができる包装箱を提供することを目的とする。
【課題を解決するための手段】
【０００８】
上記目的を達成するために本発明は、
天板、底板及び４つの側壁からなり、前記４つの側壁のうち１つの側壁が前記天板及び前記底板に連接し、当該側壁の前記天板及び／または前記底板との連接辺を中心として前記天板と前記底板とが開かれることで開いた状態となる包装箱であって、
前記天板は、前記底板に対向する面のうち前記連接辺とは反対側の辺側に嵌合部材の雌部が取り付けられるとともに、前記嵌合部材の嵌合状態を解除するための鍵を前記嵌合部材に挿入するための第１の貫通孔が形成され、
前記４つの側壁のうち前記天板及び前記底板に連接した側壁と対向する側壁は、前記嵌合部材の雄部を前記雌部に嵌合させるための第２の貫通孔が形成され、
前記底板は、一端が自由に移動可能となった帯状部材の他端が取り付けられ、前記一端に前記雄部が取り付けられている。
【０００９】
上記のように構成された本発明においては、閉じた状態とされた後、側壁に形成された第２の貫通孔から、底板に帯状部材を介して取り付けられた雄部を挿入し、天板の底板に対向する面に取り付けられた雌部に雄部を嵌合させることで、包装箱が意図せずに開いた状態となることが回避される。その後、天板に形成された第１の貫通孔から鍵を挿入して雄部と雌部との嵌合状態を解除すれば、包装箱を開いた状態とすることができる。
【００１０】
このように、嵌合部材の雌部が天板の底板に対向する面に取り付けられており、側壁に形成された第２の貫通孔から雄部を挿入して雌部に嵌合させることで、包装箱が意図せずに開いた状態となることが回避され、また、天板に形成された第１の貫通孔から鍵を挿入して雄部と雌部との嵌合状態を解除することで、包装箱が開いた状態となるので、雄部と雌部との嵌合部分が包装箱の内部に存在することとなり、大きく突出する部分がなくなり、それにより、嵌合部材が破損したり、嵌合部材が他の物品に接触することで他の物品が破損したりすること回避され、また、複数きれいに並べたり積み重ねたりすることもできるようになる。
【発明の効果】
【００１１】
本発明によれば、嵌合部材の雌部が天板の底板に対向する面に取り付けられており、側壁に形成された第２の貫通孔から雄部を挿入して雌部に嵌合させることで、包装箱が意図せずに開いた状態となることが回避され、また、天板に形成された第１の貫通孔から鍵を挿入して雄部と雌部との嵌合状態を解除することで、包装箱が開いた状態となる構成であるため、雄部と雌部との嵌合部分が包装箱の内部に存在することとなり、大きく突出している部分がなくなり、それにより、閉じた状態にて嵌合部材の雄部と雌部とを嵌合させることで、意図せずに開いた状態となることを回避できる包装箱において、嵌合部材や他の物品を破損させることを回避できるとともに、複数きれいに並べたり積み重ねたりすることができる。
【図面の簡単な説明】
【００１２】
【図１】本発明の包装箱の実施の一形態を示す外観斜視図であり、（ａ）は閉じた状態を示す図、（ｂ）は開いた状態を示す図である。
【図２】図１に示した包装箱が完全に開いた状態を示す図であり、（ａ）は包装箱の内面側から見た図、（ｂ）は容器本体側から見た側面図、（ｃ）は蓋体側から見た図、（ｄ）は（ｂ），（ｃ）とは直交する方向から見た図、（ｅ）は包装箱の外面側から見た図である。
【図３】図１及び図２に示した包装箱の内面の詳細な構成を示す図であり、（ａ）は蓋体の構成を示す図、（ｂ）は容器本体の構成を示す図である。
【図４】図１において雄コネクタと雌コネクタとからなる嵌合部材について詳細に説明するための図である。
【図５】図２において雄コネクタと雌コネクタとからなる嵌合部材について詳細に説明するための図である。
【図６】図１及び図２に示した包装箱に物品を収容する際の使用方法を説明するための図である。
【図７】図１及び図２に示した包装箱に収容された物品を取り出す際の使用方法を説明するための図である。
【図８】雄コネクタと雌コネクタとの嵌合状態が解除される様子を説明するための図である。
【図９】本発明の包装箱の他の実施の形態を示す外観斜視図であり、（ａ）は閉じた状態を示す図、（ｂ）は開いた状態を示す図である。
【発明を実施するための形態】
【００１３】
以下に、本発明の実施の形態について図面を参照して説明する。
【００１４】
図１は、本発明の包装箱の実施の一形態を示す外観斜視図であり、（ａ）は閉じた状態を示す図、（ｂ）は開いた状態を示す図である。図２は、図１に示した包装箱１が完全に開いた状態を示す図であり、（ａ）は包装箱の内面側から見た図、（ｂ）は容器本体２０側から見た側面図、（ｃ）は蓋体１０側から見た図、（ｄ）は（ｂ），（ｃ）とは直交する方向から見た図、（ｅ）は包装箱の外面側から見た図である。
【００１５】
本形態は図１に示すように、蓋体１０と容器本体２０とが側壁３０を介して連接して構成されている。
【００１６】
蓋体１０は、天板１１と、天板１１の４辺のうち３辺に沿って起立して設けられた３つの側壁１２ａ〜１２ｃとを有しており、天板１１の側壁１２ａ〜１２ｃが設けられていない辺が側壁３０と連接している。
【００１７】
天板１１には、包装箱１が閉じた状態となった場合に内側となる面、すなわち、容器本体２０と対向する面のうち、側壁３０との連接辺とは反対側の辺側に雌部材となる雌コネクタ４０が取り付けられているとともに、雌コネクタ４０に設けられた鍵穴４１に鍵を挿入するための第１の貫通孔１３が形成されている。すなわち、雌コネクタ４０は、鍵穴４１が設けられた面が、天板１１側となるように天板１１に取り付けられている。また、天板１１には、雌コネクタ４０が取り付けられた面に、緩衝材として２枚のスポンジシート１５ａ，１５ｂ（図３参照）が貼り付けられており、その詳細は後述する。
【００１８】
側壁１２ａ〜１２ｃのそれぞれは、側壁３０と同等の高さを有している。これら３つの側壁１２ａ〜１２ｃのうち、天板１１の側壁３０との連接辺とは反対側の辺に沿って起立して設けられた側壁１２ａには、天板１１に取り付けられた雌コネクタ４０に対応する領域に第２の貫通孔１４が形成されており、この貫通孔１４から雄部材となる雄コネクタ５０を挿入して雌コネクタ４０に嵌合させることができるようになっている。
【００１９】
容器本体２０は、底板２１と、底板２１の４辺に沿って起立して設けられた４つの側壁２２ａ〜２２ｄとを有しており、底板２１の側壁２２ｄが設けられた辺が側壁３０と連接している。
【００２０】
底板２１は、天板１１と同一形状を有している。底板２１には、包装箱１が閉じた状態となった場合に外側となる面、すなわち、蓋体１０と対向する面とは反対側の面のうち、側壁３０との連接辺とは反対側の辺側に、帯状部材となる帯状のフレキシブルシート６０の一方の端部が取り付けられており、フレキシブルシート６０の他方の端部には雄コネクタ５０が取り付けられている。フレキシブルシート６０は、一方の端部が底板２１に取り付けられて固定されているものの、他方の端部は固定されていないため、雄コネクタ５０が取り付けられた端部は自由に移動可能となっている。また、底板２１は、包装箱１が閉じた状態となった場合に内側となる面、すなわち、蓋体１０と対向する面に緩衝材としてスポンジシート２４が貼り付けられている。
【００２１】
側壁２２ａ〜２２ｄのそれぞれは、側壁１２ａ〜１２ｃ，３０と同等の高さを有している。側壁２２ａには、包装箱１が閉じた状態となった場合に貫通孔１４に重なる領域に切り欠き２３が形成されている。また、側壁２２ｄは、その中央部分にて２つに分割されている。
【００２２】
上記のように構成された蓋体１０と容器本体２０とは、天板１１及び底板２１と側壁３０との連接辺を中心として天板１１と底板２１とが開かれることで開いた状態となる。そして、閉じた状態においては、蓋体１０の側壁１２ａと容器本体２０の側壁２２ａとが側壁１２ａが外側となるように重なり合って１つの側壁を構成し、蓋体１０の側壁１２ｂと容器本体２０の側壁２２ｂとが側壁１２ｂが外側となるように重なり合って１つの側壁を構成し、蓋体１０の側壁１２ｃと容器本体２０の側壁２２ｃとが側壁１２ｃが外側となるように重なり合って１つの側壁を構成し、側壁３０と容器本体２０の側壁２２ｄとが側壁３０が外側となるように重なり合って１つの側壁を構成することとなり、それにより、包装箱１は、天板１１及び底板２１及び４つの側壁から構成されたものとなる。
【００２３】
以下に、包装箱１の内面の詳細な構成について説明する。
【００２４】
図３は、図１及び図２に示した包装箱１の内面の詳細な構成を示す図であり、（ａ）は蓋体１０の構成を示す図、（ｂ）は容器本体２０の構成を示す図である。
【００２５】
図３（ａ）に示すように、蓋体１０においては、天板１１の雌コネクタ４０が取り付けられた面に、２枚のスポンジシート１５ａ，１５ｂが貼り付けられている。
【００２６】
スポンジシート１５ｂは、雌コネクタ４０と同等の厚さを有しており、その外形は、天板１１の側壁１２ａ〜１２ｃに囲まれた領域と同等のものとなっている。また、天板１１に貼り付けられた状態にて雌コネクタ４０に対向する領域に、雌コネクタ４０と同等の形状の切り欠き１６が設けられている。そして、天板１１の雌コネクタ４０が取り付けられた面に貼り付けられることにより、スポンジシート１５ｂの表面と雌コネクタ４０の表面とがフラットな状態となる。
【００２７】
スポンジシート１５ａは、天板１１の側壁１２ａ〜１２ｃに囲まれた領域と同等の外形を有している。そして、天板１１に貼り付けられたスポンジシート１５ｂ上に貼り付けられることになるが、スポンジシート１５ｂの表面と雌コネクタ４０の表面とがフラットな状態であることから、スポンジシート１５ａの表面もフラットな状態となる。
【００２８】
図３（ｂ）に示すように、容器本体２０においては、包装箱１が閉じた状態となった場合に蓋体１０に対向する面に、スポンジシート２４が貼り付けられている。
【００２９】
スポンジシート２４は、底板２１の側壁２２ａ〜２２ｄに囲まれた領域と同等の外形を有している。
【００３０】
以下に、雄コネクタ５０と雌コネクタ４０とからなる嵌合部材について説明する。
【００３１】
図４は、図１において雄コネクタ５０と雌コネクタ４０とからなる嵌合部材について詳細に説明するための図である。図５は、図２において雄コネクタ５０と雌コネクタ４０とからなる嵌合部材について詳細に説明するための図である。なお、図４及び図５においては、雄コネクタ５０と雌コネクタ４０とからなる嵌合部材に係る構成要素以外は破線で示している。
【００３２】
図４及び図５に示すように、嵌合部材を構成する雌コネクタ４０は、天板１１の包装箱１が閉じた状態となった場合に内側となる面において、側壁３０との連接辺とは反対側の辺側に取り付けられており、また、側壁１２ａには、雌コネクタ４０の雄コネクタ５０が挿入される面に対向するように貫通孔１４が形成されている。そのため、側壁１２ａ側から貫通孔１４に雄コネクタ５０を挿入することで、雌コネクタ４０に雄コネクタ５０を嵌合させることができる。
【００３３】
また、図４及び図５に示すように、雌コネクタ４０には、雄コネクタ５０との嵌合状態を解除するための鍵を挿入する鍵穴４１が設けられており、この鍵穴４１が設けられた面が天板１１に対向するように雌コネクタ４０が天板１１に取り付けられているが、天板１１には鍵穴４１に対向する領域に貫通孔１３が形成されていることにより、雌コネクタ４０と雄コネクタ５０との嵌合状態を解除するための鍵を、天板１１側から貫通孔１３を介して鍵穴４１に挿入することができる。
【００３４】
すなわち、雌コネクタ４０と雄コネクタ５０とからなる嵌合部材においては、側壁１２ａ側から貫通孔１４を介して雄コネクタ５０を雌コネクタ４０に挿入することにより、雄コネクタ５０と雌コネクタ４０とが嵌合状態となり、その後、天板１１側から貫通孔１３を介して鍵穴４１に鍵を挿入することにより、雄コネクタ５０と雌コネクタ４０との嵌合状態を解除することができる構成となっている。
【００３５】
また、雄コネクタ５０は、その一方の端部が底板２１の側壁３０との連接辺とは反対側の辺側に取り付けられたフレキシブルシート６０の他方の端部に取り付けられていることにより、包装箱１が閉じた状態においては、雌コネクタ４０とフレキシブルシート６０の底板２１への取り付け部分との間の距離が長くなることがなく、雄コネクタ５０を雌コネクタ４０に嵌合させにくくなることがない。なお、フレキシブルシート６０の長さは、底板２１のフレキシブルシート６０が取り付けられた部分と雌コネクタ４０の距離に応じて調整することができる。
【００３６】
以下に、上述した包装箱１の使用方法について説明する。
【００３７】
まず、包装箱１に物品を収容する際の使用方法について説明する。
【００３８】
図６は、図１及び図２に示した包装箱１に物品を収容する際の使用方法を説明するための図である。
【００３９】
図６（ａ）に示すように、図１及び図２に示した包装箱１に携帯電話機７０を収容する場合は、まず、天板１１及び底板２１と側壁３０との連接辺を中心として天板１１と底板２１とを開き、蓋体１０と容器本体２０とが開いた状態とし、その状態にて底板２１上に貼り付けられたスポンジシート２４上に、収容する携帯電話機７０を載置する。
【００４０】
そして、図６（ｂ）に示すように、天板１１及び底板２１と側壁３０との連接辺を中心として天板１１と底板２１とを閉じ、蓋体１０と容器本体２０とが閉じた状態とする。この際、３枚のスポンジシート１５ａ，１５ｂ，２４を加えた厚さを、側壁１２ａ〜１２ｃ，２２ａ〜２２ｄ，３０の高さと同等、あるいは若干薄いものとすれば、携帯電話機７０をスポンジシート１５ａとスポンジシート２４とで挟み込んで固定することができる。また、天板１１には底板２１に対向する面に雌コネクタ４０が取り付けられているが、スポンジシート１５ｂに形成された切り欠き１６によってスポンジシート１５ａの表面がフラットな状態となっているため、携帯電話機７０が収容しにくくなってしまうことがない。
【００４１】
その後、図６（ｃ）に示すように、側壁１２ａに形成された貫通孔１４から雄コネクタ５０を挿入し、天板１１に取り付けられた雌コネクタ４０に嵌合させる。この際、雄コネクタ５０は、底板２１にその一方の端部が取り付けられたフレキシブルシート６０の自由に移動可能な他方の端部に取り付けられているため、フレキシブルシート６０の長さの範囲で自由に移動でき、雌コネクタ４０に嵌合させることができる。また、側壁１２ａには容器本体２０の側壁２２ａが重なり合っているが、側壁２２ａには、包装箱１が閉じた状態となった場合に貫通孔１４に重なる領域に切り欠き２３が形成されているため、雄コネクタ５０を雌コネクタ４０に嵌合させる際に側壁２２ａが邪魔になることはない。
【００４２】
すると、雌コネクタ４０が天板１１に取り付けられているとともに、雄コネクタ５０が、フレキシブルシート６０を介して底板２１に取り付けられているので、蓋体１０と容器本体２０とが閉じた状態を保つことができ、包装箱１が意図せずに開いてしまうことが回避される。
【００４３】
次に、包装箱１に収容された携帯電話機７０を取り出す際の使用方法について説明する。
【００４４】
図７は、図１及び図２に示した包装箱１に収容された物品を取り出す際の使用方法を説明するための図である。
【００４５】
上記のようにして包装箱１に収容された携帯電話機７０を取り出す場合は、まず、図７（ａ）に示すように、雌コネクタ４０と雄コネクタ５０との嵌合状態を解除するための鍵８０を雌コネクタ４０の鍵穴４１に挿入する。雌コネクタ４０は、鍵穴４１が設けられた面が天板１１に対向するように天板１１の内側となる面に取り付けられているものの、天板１１には鍵穴４１に対向する領域に貫通孔１３が形成されているため、貫通孔１３を介して鍵穴４１に鍵８０を挿入することができる。
【００４６】
次に、図７（ｂ）に示すように、鍵８０を鍵８０の軸を中心として所定方向に回す操作を行うことにより、雌コネクタ４０と雄コネクタ５０との嵌合状態が解除される。
【００４７】
図８は、雄コネクタ５０と雌コネクタ４０との嵌合状態が解除される様子を説明するための図であり、雌コネクタ４０の内部の状態を示す。
【００４８】
図８（ａ）に示すように、雄コネクタ５０には、雌コネクタ４０への挿入方向に伸びた４本の爪部５１ａ〜５１ｄが横並びに設けられており、並び方向中央の２本の爪部５１ｂ，５１ｃには、互いに対向する面に、その一部が切り欠かれた引っ掛かり部５２が形成されている。また、雌コネクタ４０には、雄コネクタ５０が挿入される内部に係止部４２が設けられている。そのため、雄コネクタ５０を雌コネクタ４０に挿入すると、引っ掛かり部５２が係止部４２に引っ掛かり、雄コネクタ５０と雌コネクタ４０とが嵌合した状態となる。
【００４９】
そして、鍵穴４１に鍵８０を挿入すると、図８（ｂ）に示すように、２本の爪部５１ｂ，５１ｃ間に鍵８０が挿入され、その後、鍵８０を鍵８０の軸を中心として所定方向に回す操作を行うと、図８（ｃ）に示すように、鍵８０が爪部５１ｂ，５１ｃと接触して爪部５１ｂ，５１ｃ間が鍵８０によって押し広げられ、引っ掛かり部５２が係止部４２に引っ掛からない状態となり、雌コネクタ４０と雄コネクタ５０との嵌合状態が解除される。この際、爪部５１ｂ，５１ｃの引っ掛かり部５２が形成された面上を鍵８０が滑るように作用することにより、鍵８０を回転させることで、雌コネクタ４０と雄コネクタ５０との嵌合状態が解除されるとともに、雄コネクタ５０が雌コネクタ４０から飛び出すことになる。
【００５０】
雄コネクタ５０と雌コネクタ４０との嵌合状態が解除され、雌コネクタ４０から雄コネクタ５０が抜けた後、図７（ｃ）に示すように、天板１１及び底板２１と側壁３０との連接辺を中心として天板１１と底板２１とを開き、蓋体１０と容器本体２０とが開いた状態とすれば、スポンジシート２４上に載置された携帯電話機７０を取り出すことができる。
【００５１】
本形態においては、嵌合部材の雌コネクタ４０が天板１１の底板２１に対向する面に取り付けられており、側壁１２ａに形成された貫通孔１４を介して雄コネクタ５０を雌コネクタ４０に挿入して嵌合させることで、包装箱１が意図せずに開いた状態となることが回避されることになる。また、天板１１に形成された貫通孔１３を介して鍵穴４１に鍵８０を挿入して雄コネクタ５０と雌コネクタ４０との嵌合状態を解除することで、包装箱１が開いた状態となる。このように、雄コネクタ５０と雌コネクタ４０との嵌合部分が包装箱１の内部に存在することとなるので、大きく突出する部分がなくなり、それにより、雄コネクタ５０や雌コネクタ４０が破損したり、雄コネクタ５０と雌コネクタ４０が他の物品に接触することで他の物品が破損したりすること回避され、また、複数きれいに並べたり積み重ねたりすることもできるようになる。
【００５２】
（他の実施の形態）
図９は、本発明の包装箱の他の実施の形態を示す外観斜視図であり、（ａ）は閉じた状態を示す図、（ｂ）は開いた状態を示す図である。
【００５３】
図９に示すように本形態における包装箱１０１は、図１に示したものに対して、蓋体１１０が天板１１と１つの側壁１２ａのみから構成されており、図１に示した側壁１２ｂ，１２ｃが設けられておらず、また、側壁３０と側壁２２ｄとが一体化しており、それにより、蓋体１１０と容器本体１２０とが、天板１１と側壁３０との連接辺を中心として天板１１と底板２１とが開かれることで開いた状態となる。
【符号の説明】
【００５４】
１，１０１    包装箱
１０，１１０    蓋体
１１    天板
１２ａ〜１２ｃ，２２ａ〜２２ｄ，３０    側壁
１３，１４    貫通孔
１５ａ，１５ｂ，２４    スポンジシート
２０，１２０    容器本体
２１    底板
１６，２３    切り欠き
４０    雌コネクタ
４１    鍵穴
４２    係止部
５０    雄コネクタ
５１ａ〜５１ｄ    爪部
５２    引っ掛かり部
６０    フレキシブルシート
７０    携帯電話機
８０    鍵
【図１】
2016104640.tif 000003
【図２】
2016104640.tif 000004
【図３】
2016104640.tif 000005
【図４】
2016104640.tif 000006
【図５】
2016104640.tif 000007
【図６】
2016104640.tif 000008
【図７】
2016104640.tif 000009
【図８】
2016104640.tif 000010
【図９】
2016104640.tif 000011